(57)【要約】【課題】法勾配が１割から１割５分の法面において低コストで形成できる法面保護構造を提供する。【解決手段】本発明の法面保護構造１００は、複数の石詰籠１０を積み上げてなり、法勾配が１割以上１割５分以下であり、石詰籠において前面、底面及び背面は、溶接金網パネルを折り曲げて一体に形成された折り曲げパネル部材によって構成されており、背面は法面４００に載せられている。【選択図】図１
2015045133.tif 000002
【特許請求の範囲】
【請求項１】
複数の石詰籠を積み上げてなる法面保護構造であって、
法勾配が１割以上１割５分以下であり、
前記石詰籠において前面、底面及び背面は、溶接金網パネルを折り曲げて一体に形成された折り曲げパネル部材によって構成されており、
前記背面は法面に載せられている、法面保護構造。
【請求項２】
前記折り曲げパネル部材は、前記溶接金網パネルを平行な２本の折り目により折り曲げて形成されており、
前記底面は、前記２本の折り目に挟まれた部分であり、
前記前面は、前記底面から直角に上方に折り曲げられた部分であり、
前記法面は、前記底面から前記法勾配の角度に上方に折り曲げられた部分である、請求項１に記載されている法面保護構造。
【請求項３】
前記折り曲げパネル部材において、前記２本の折り目間の距離をａ、前面部分の高さをｂとしたときに、ｂ／ａが３／５以上８／５以下である、請求項２に記載されている法面保護構造。
【請求項４】
前記複数の石詰籠のうち第１の石詰籠の上に載せられた第２の石詰籠において、前記第２の石詰籠の背面は、前記第１の石詰籠の背面に連結部材によって連結されている、請求項１から３のいずれか一つに記載されている法面保護構造。
【請求項５】
前記連結部材はコイルである、請求項４に記載されている法面保護構造。
【請求項６】
法面保護構造の形成方法であって、
法勾配は１割以上１割５分以下であり、
溶接金網パネルを２本の折り目により折り曲げて前面、底面及び背面を構成した第１の折り曲げパネル部材のうち前記背面を法面の最も下の部分に載せるとともに、法面の下端から続く地盤の上に前記底面を載せる工程と、
前記第１の折り曲げパネル部材の前記前面、前記底面及び前記背面に囲まれた部分に石を詰める工程と、
溶接金網パネルを２本の折り目により折り曲げて前面、底面及び背面を構成した第２の折り曲げパネル部材のうち前記背面を、前記第１の折り曲げパネル部材における前記背面の上方の法面に載せるとともに、石を詰めた前記第１の折り曲げパネル部材の上に前記第２の折り曲げパネル部材の前記底面を載せる工程と、
前記第２の折り曲げパネル部材の前記背面の下端部分と前記第１の折り曲げパネル部材の前記背面の上端とを連結部材によって連結する工程と、
前記第２の折り曲げパネル部材の前記前面、前記底面及び前記背面に囲まれた部分に石を詰める工程と
を含む、法面保護構造の形成方法。
【発明の詳細な説明】
【技術分野】
【０００１】
本発明は法面保護構造及びその形成方法に関し、特に複数の石詰籠を積み上げてなる法面保護構造及びその形成方法に関するものである。
【背景技術】
【０００２】
従来より、山や谷、道路、住宅地、川岸等における法面の保護のためにふとん籠と呼ばれる石詰籠が用いられてきた。例えば、特許文献１には、直方体状をした石詰籠を一段ごとに後方に一定距離ずつ後退させた状態で段積した個性の法面保護構造が開示されている。また、特許文献２にはそれぞれ単一の金網材料を仕切ることによって底網と側網とを形成する高地用の第１の胴網とのり面用の第２の胴網と低地用の第３の胴網とを縦列に連結してなり、前記第１、第２の胴網は、当て網を介して前記側網を連結し、前記第２、第３の胴網は、前記側網を重ね合わせて連結する法面保護構造が開示されている。
【０００３】
特許文献１に開示されているような法面を掘削して階段状にした、いわゆる多段積みと呼ばれる法面保護構造は、法勾配が８分以下である傾斜が大きな法面に適用される。なぜならば、急斜面からの土圧に対して安定して積み上げ・固定することができるからである一方、緩傾斜に対しては、傾斜方向に沿った水平長さを長くしないと後端の沈下変形を抑えることができないためコストが大きくなってしまうからである。このため、緩斜面に対しては特許文献２に開示されているような、法面にそのまま石詰籠を載せるいわゆる平張り構造が用いられる。
【０００４】
平張り構造は法勾配が１割より小さい法面に適用すると滑り落ちるおそれが大きく、１割から１割５分の法面では、籠の中に石を詰める際に作業員の安全のための足場や命綱等の設備を設置して石詰め後に撤去する必要があるため、法勾配が１割５分よりも大きい緩斜面に適用される。なお、法勾配の数値が大きいのは、法面の傾斜度合いが小さいということである。
【先行技術文献】
【特許文献】
【０００５】
【特許文献１】実開昭６３−８６１４６号公報
【特許文献２】特開平６−１４６２３７号公報
【特許文献３】特開平１１−１２４８３２号公報
【発明の概要】
【発明が解決しようとする課題】
【０００６】
上述のように、法勾配が１割から１割５分の法面においては多段積みでは高コストになってしまい、平張り構造では石詰め時の安全性や滑り落ちなどの点で不適であるという問題があった。
【０００７】
本発明は、かかる点に鑑みてなされたものであり、その目的とするところは、法勾配が１割から１割５分の法面において低コストで形成できる法面保護構造を提供することにある。
【課題を解決するための手段】
【０００８】
本発明の法面保護構造は、複数の石詰籠を積み上げてなる法面保護構造であって、法勾配が１割以上１割５分以下であり、前記石詰籠において前面、底面及び背面は、溶接金網パネルを折り曲げて一体に形成された折り曲げパネル部材によって構成されており、前記背面は法面に載せられている構成を有している。
【０００９】
前記折り曲げパネル部材は、前記溶接金網パネルを平行な２本の折り目により折り曲げて形成されており、前記底面は、前記２本の折り目に挟まれた部分であり、前記前面は、前記底面から直角に上方に折り曲げられた部分であり、前記法面は、前記底面から前記法勾配の角度に上方に折り曲げられた部分であることが好ましい。ここで２本の折り目が平行であるとは溶接金網パネルの製造・折り曲げ工程における誤差や製造ばらつき等を考慮した範囲での折り目同士の位置関係であり、数学的に厳密な意味での平行を意味していない。直角および法勾配の角度についても同様である。
【００１０】
さらに、前記折り曲げパネル部材において、前記２本の折り目間の距離をａ、前面部分の高さをｂとしたときに、ｂ／ａが３／５以上８／５以下であることが好ましい。ａは底面の奥行き長さ（前面から背面までの長さ）のことである。
【００１１】
前記複数の石詰籠のうち第１の石詰籠の上に載せられた第２の石詰籠において、前記第２の石詰籠の背面は、前記第１の石詰籠の背面に連結部材によって連結されていることが好ましい。  なお、第１の石詰籠は、複数の石詰籠の中で上に別の石詰籠（第２の石詰籠）を積まれている任意の石詰籠である。
【００１２】
前記連結部材はコイルであることが好ましい。
【００１３】
本発明の法面保護構造の形成方法は、法勾配は１割以上１割５分以下であり、溶接金網パネルを２本の折り目により折り曲げて前面、底面及び背面を構成した第１の折り曲げパネル部材のうち前記背面を法面の最も下の部分に載せるとともに、法面の下端から続く地盤の上に前記底面を載せる工程と、前記第１の折り曲げパネル部材の前記前面、前記底面及び前記背面に囲まれた部分に石を詰める工程と、溶接金網パネルを２本の折り目により折り曲げて前面、底面及び背面を構成した第２の折り曲げパネル部材のうち前記背面を、前記第１の折り曲げパネル部材における前記背面の上方の法面に載せるとともに、石を詰めた前記第１の折り曲げパネル部材の上に前記第２の折り曲げパネル部材の前記底面を載せる工程と、前記第２の折り曲げパネル部材の前記背面の下端部分と前記第１の折り曲げパネル部材の前記背面の上端とを連結部材によって連結する工程と、前記第２の折り曲げパネル部材の前記前面、前記底面及び前記背面に囲まれた部分に石を詰める工程とを含む構成を有している。第１の折り曲げパネル部材の底面を載せる法面の下端から続く地盤は略水平な地盤である。
【発明の効果】
【００１４】
本発明では、溶接金網からなる折り曲げパネル部材により前面、底面及び背面が構成されていて、背面が法面に載せられるため、安価であらかじめ工場で製造された自立する折り曲げパネル部材を用いて石詰籠を容易に形成でき、石詰めも各石詰籠毎に容易に行うことができて、低コストで法面保護構造を形成することができる。
【図面の簡単な説明】
【００１５】
【図１】実施形態１に係る法面保護構造の模式的な側面図である。
【図２】実施形態１に係る法面保護構造の一部の正面図である。
【図３】実施形態１に係る法面保護構造の一部の背面図である。
【図４】実施形態１に係る法面保護構造の一部の右側面図である。
【図５】実施形態１に係る法面保護構造の一部の平面図である。
【図６】実施形態１に係る法面保護構造の一部の底面図である。
【図７】図２のＡ−Ａ線矢視図である。
【図８】図２のＢ−Ｂ線矢視図である。
【図９】実施形態１に係る石詰籠を解体した状態の模式的な図である。
【図１０】中枠の図である。
【図１１】実施形態２に係る法面保護構造の模式的な側面図である。
【図１２】実施形態２に係る法面保護構造の一部の正面図である。
【図１３】実施形態２に係る法面保護構造の一部の背面図である。
【図１４】実施形態２に係る法面保護構造の一部の右側面図である。
【図１５】実施形態２に係る法面保護構造の一部の平面図である。
【図１６】実施形態２に係る法面保護構造の一部の底面図である。
【図１７】図１２のＡ−Ａ線矢視図である。
【図１８】図１２のＢ−Ｂ線矢視図である。
【図１９】実施形態３に係る法面保護構造の模式的な側面図である。
【図２０】実施形態３に係る法面保護構造の一部の正面図である。
【図２１】実施形態３に係る法面保護構造の一部の背面図である。
【図２２】実施形態３に係る法面保護構造の一部の右側面図である。
【図２３】実施形態３に係る法面保護構造の一部の平面図である。
【図２４】実施形態３に係る法面保護構造の一部の底面図である。
【図２５】図２０のＡ−Ａ線矢視図である。
【図２６】図２０のＢ−Ｂ線矢視図である。
【発明を実施するための形態】
【００１６】
実施形態について説明を行う前に特許文献３について本発明との対比を行う。
【００１７】
特許文献３には、法面に沿って上下複数段の石詰篭に跨がるように配設された共通の背面網；法面の傾斜角度に合わせて傾斜し且つ開放する背面を有し、該背面を上記背面網に沿わせた状態で複数段段積されると共に、各々の背面が上記共通の背面網で閉塞された複数の石詰篭；からなることを特徴とする石詰篭製構造壁が開示されている。特許文献３に係る発明は、「本発明の技術的課題は、法面を階段状に切削したり埋め戻したりすることなく設置することができる、施工が簡単な石詰篭製構造壁を得ることにある」と０００５段落に記載されているように、多段積み構造の代替を目的としている。図面においても５分から７分の法勾配となっており、傾斜度合いの大きい法面に適用することが前提になっている。この点から、平張り構造の代替とするため、法勾配が１割以上１割５分以下である法面に適用する本願発明とは異なる技術的思想に基づいた発明であることが明らかである。
【００１８】
そして、特許文献３においては共通の背面網を備えていることが特徴である。この背面網はフレキシブルな菱形金網か亀甲金網であり、溶接金網ではないことは明らかである。その理由は以下の４点である。まず００２１段落に記載されているように、背面網をアンカーボルト等で固定したり、ワイヤロープに支持させて法面に張設して固定していることが挙げられる。溶接金網は法面に載せた際に形状が変形することがなく、法面下の平地部分に下端が当たって移動することがないため、固定する必要性がなく、施工コストを抑えるために溶接金網の固定は行わない。この点、特許文献３においては明細書中でわざわざ背面網の固定を記載しているということは、背面網が変形してしまう菱形金網か亀甲金網であるからである。
【００１９】
次に菱形金網や亀甲金網は変形しやすく、巻回した状態で運ぶことができるため、工場で製造した長尺品を施工現場に容易に運搬することができる。特許文献３の図に示されているような法面を全面的に覆うような長尺品として菱形金網や亀甲金網は対応可能である。しかし、溶接金網は変形させることが非常に困難なので、平面形状のままで運搬する必要があり、法面全面を覆うような長尺品を工場から施工現場に運搬することは非常に困難であったり、不可能な場合もある。
【００２０】
そして、特許文献３では背面網を法面の路肩部分や最下段の石詰籠の底面にまで延ばしているが、このような構造はフレキシブルな菱形金網や亀甲金網であるから形成することができるのであり、溶接金網ではこのような構造を形成させることは施工現場で複数の鉄線を同時に曲げる必要があるため非常に困難である。
【００２１】
さらには、特許文献３では背面網を「張設する」と表現している。この表現はフレキシブルな菱形金網や亀甲金網に対して使用されるものであり、法面に置いただけでは変形しない溶接金網には使用されない。特に００２１段落の「ワイヤロープに支持させることによって法面に張設する」のは菱形金網や亀甲金網であり、溶接金網ではない。
【００２２】
以上のように、特許文献３における共通の背面網はフレキシブルな菱形金網あるいは亀甲金網であって溶接金網ではないこと、或いは枠線に菱形金網や亀甲金網を張ったフレキシブリティのない金網パネルではないことは明らかである。一方本願発明においては、各石詰籠において前面、底面及び背面が１枚の金網パネルを折り曲げて一体に形成されているので背面の土圧に対する強度が高く、この点で特許文献３とは明確な違いがある。また、本願発明では強度の高い石詰籠を一段ずつ積み重ねて施工するため、急斜面に背面網を固定する必要が無く安全であり、石詰め作業を確実且つ楽に行うことができる。これは特許文献３に係る発明は急斜面における多段積みを代替して各石詰籠を一体に連結するという技術的思想を有しているのに対し、本願発明は斜度が比較的緩い法勾配が１割から１割５分の法面における平張り構造を代替して１段ずつ確実に低コスト高強度の石詰籠を形成するという技術的思想を有しているので、両者の技術的思想が明確に異なっているからである。
【００２３】
以下、本発明の実施形態を図面に基づいて詳細に説明する。以下の図面においては、説明の簡潔化のため、実質的に同一の機能を有する構成要素を同一の参照符号で示す。
【００２４】
（実施形態１）
実施形態１に係る法面保護構造は図１に示すように、法勾配が１割の法面４００を保護する法面保護構造１００である。この法面保護構造１００は３つの石詰籠１０，１０，１０を積み重ねて形成されている。
【００２５】
図２〜８に、本実施形態の法面保護構造１００のうち、２つの石詰籠１０，１０を積み重ねた状態を各方向から見て示し、また内部を示す。これらの図面では法面下端に沿って並ぶ石詰籠二つ分のみを示している。図９に石詰籠１０を構成する部材を示す。
【００２６】
石詰籠１０は、その前面８０（正面）、底面７０および背面３０を、溶接金網パネルを折り曲げて形成された折り曲げパネル部材２０により構成されている。溶接金網パネルは、表面に亜鉛アルミ合金めっきが施された鉄線から構成されており、複数の横線及び縦線を直角に交わるように配列させて、その交点を溶接して形成されている。
【００２７】
折り曲げパネル部材２０は、溶接金網パネルの縦線を二箇所折り曲げて形成されており、その２つの折り目は横線に平行となっている。前面８０は一つの折り目において底面７０から上方へ直角に折り曲げられており、背面３０は別の折り目において底面７０から法勾配１割の角度（４５度）に上方に折り曲げられている。背面３０と底面７０とのなす角は１３５度である。
【００２８】
石詰籠１０の背面３０は、法面４００に載せられる。石詰籠１０の側面４０は台形の溶接金網パネルからなっている。石詰籠１０の上蓋５０は溶接金網パネルからなっており、石詰籠１０の上面部分の一部を覆い、この石詰籠１０（第１の石詰籠）の上に積まれる別の石詰籠１０（第２の石詰籠）の底面７０とともに石詰籠１０（第１の石詰籠）の上面全面を塞ぐ。さらに石詰めによる籠のはらみを考慮して上蓋５０の一部は第２の石詰籠１０の底面７０と重なり合うように設定されている。なお、図５においては最上段の石詰籠１０の上面は上蓋５０’が全面を覆っている。
【００２９】
折り曲げパネル部材２０は底面７０を地面に置くと自立するため、側面４０及び後述の補強枠９０とコイル６０により連結する際に前面８０を支える必要がなく、施工を容易に行うことができる。
【００３０】
折り曲げパネル部材２０において、底面７０の奥行きａ（２本の折り目の間の距離）は５０ｃｍ、前面８０の高さｂも５０ｃｍであってｂ／ａ＝１であり、石詰籠１０の組み立てが容易に行えるとともに、内部への石詰めも手作業によって容易に行うことができる。
【００３１】
＜法面保護構造の形成＞
まず、切土又は盛土によって法勾配が１割の法面４００を形成する。この法面４００と法面下の平地部分に不織布からなる吸い出し防止材を敷く。これは平地や法面４００の土砂が雨によって石詰籠１０の内部（石と石との間）に入っていく（吸い出される）ことを防止するためのものである。土砂が吸い出されると石詰籠１０が地面に沈んでいくからである。
【００３２】
それから法面の一番下の部分において、石詰籠１０（第１の石詰籠）を組み立てる。折り曲げパネル部材２０（第１の折り曲げパネル部材）を用意して、法面４００の最も下の部分に背面３０を載せて、その前の平地部分に底面７０の後端を法面下端に位置させ、前面８０を法面４００から離して置く。折り曲げパネル部材２０に側面４０をコイル６０，６０’で連結するとともに、法面下端に沿って複数の折り曲げパネル部材２０を同じように並べていき、隣接する折り曲げパネル部材２０，２０同士をコイル６０で連結する。コイルには、径の小さいコイル６０と径の大きいコイル６０’の２種類があり、外観の良さや連結のしやすさなどによって適宜選択して使用する。
【００３３】
また、隣接する折り曲げパネル部材２０，２０同士を連結する際に、部材同士の境界部に図１０に示す側面４０の外形と同じ台形形状であって上下方向の中間に中線を入れた補強枠９０を置いて、補強枠９０と折り曲げパネル部材２０，２０とをコイル６０により連結する。また、折り曲げパネル部材２０の長さ方向の中間地点においては、鉄線の両端を曲げてフック状にした補強部材であるステー６４を用いて、底面７０と前面８０とをフックに引っかけて補強する。また、底面７０と側面４０もステー６４を用いて補強する。このとき、上蓋５０は取り付けないでおく。
【００３４】
次に前面８０と底面７０と背面３０と側面４０とで囲まれた部分に石を詰め込む。石は例えば、割り栗石や砕石、コンクリート破砕物等を用いることができる。
【００３５】
石を詰め込んだらその上に上蓋５０を載せてコイル６０’により前面８０、側面４０、補強枠９０と連結させる。
【００３６】
次に、折り曲げパネル部材２０（第２の折り曲げパネル部材）を用意して、第１の石詰籠１０の上に続く法面４００に背面３０を載せ、第１の石詰籠１０の上面のうち上蓋５０が載っていない法面４００に近い部分に、底面７０の後端を法面４００のところに位置させ、前面８０を法面４００から離して置く。このとき、第２の折り曲げパネル部材２０の前面８０と底面７０の境界部分は、上蓋５０の後端よりも少し前側に配置されることになる。
【００３７】
それから、第２の折り曲げパネル部材２０に側面４０をコイル６０で連結するとともに、法面下端に沿って複数の折り曲げパネル部材２０を同じように並べていき、隣接する折り曲げパネル部材２０，２０同士をコイル６０で連結する。また第１の石詰籠１０の側面４０と第２の折り曲げパネル部材２０の底面７０とをコイル６０’によって連結するとともに、第２の折り曲げパネル部材２０の背面３０の下端部分と第１の折り曲げパネル部材２０の背面３０の上端とをコイル６０’によって連結する。
【００３８】
また、第１の石詰籠１０の形成時と同様に、隣接する第２の折り曲げパネル部材２０，２０同士を連結する際に、部材同士の境界部に補強枠９０を置いて、補強枠９０と折り曲げパネル部材２０，２０とをコイル６０により連結する。また、第２の折り曲げパネル部材２０の長さ方向の中間地点においては、ステー６４を用いて、底面７０と前面８０とをフックに引っかけて補強するとともに、底面７０と側面４０もステー６４を用いて補強する。
【００３９】
次に第２の石詰籠１０の前面８０と底面７０と背面３０と側面４０とで囲まれた部分に石を詰め込む。石を詰め込む際には、第１の石詰籠１０の上面に人が載って作業を行うことができるので、安全且つ効率よく石詰めが行える。これ以降は、同じ工程を繰り返して石詰籠１０を法面４００に沿って上方へ積み上げていく。その際、石が詰められた最上段の籠が第１の石詰籠であり、その上に積まれるのが第２の石詰籠である。
【００４０】
本実施形態では、石詰籠１０を１段ずつ形成し石を詰めていくので、低コストで確実に法面保護構造１００を形成することができる。また、石詰籠１０は各部材を工場で製造して運搬し、自立する折り曲げパネル部材２０を中心にして施工現場において少ない人数で容易に短時間で組み立てることができる。
【００４１】
（実施形態２）
図１１に実施形態２に係る法面保護構造２００を示す。また、図１２〜１８に本実施形態の法面保護構造２００のうち、２つの石詰籠１１，１１を積み重ねた状態を各方向から見て示し、また内部を示す。本実施形態における法面４１０の法勾配は１割であって実施形態１と同じである。
【００４２】
本実施形態では、石詰籠１１の底面７１の奥行きが実施形態１の１．６倍であって、ｂ／ａ＝８／５であり、それに合わせて側面４１及び補強枠９１も水平部分が実施形態１よりも長くなっている。また最上段の上蓋５１’も実施形態１よりも奥行きが長くなっている。なお、前面８０と背面３０とコイル６０，６０’とステー６４は実施形態１と同じである。本実施形態の折り曲げパネル部材は、実施形態１における折り曲げパネル部材２０に対して底面の奥行きが１．６倍であって、それ以外の部分は実施形態１と同じ構成のものである。法面保護構造２００の形成方法は実施形態１と同じである。
【００４３】
実施形態２においても実施形態１と同じ効果を奏する。
【００４４】
（実施形態３）
図１９に実施形態３に係る法面保護構造３００を示す。また、図２０〜２６に本実施形態の法面保護構造３００のうち、２つの石詰籠１２，１２を積み重ねた状態を各方向から見て示し、また内部を示す。本実施形態における法面４２０の法勾配は１割５分である。
【００４５】
本実施形態では、石詰籠１２の底面７２の奥行きが実施形態１の３／５、上面の奥行きが辞し形態１の１．０５倍であって、ｂ／ａ＝３／５である。本実施形態では法勾配が１割５分であって実施形態１よりも緩やかな斜面であるので、底面７２の奥行きを小さくすることができる。また、それに合わせて側面４２及び補強枠９２も底面側が実施形態１よりも短くなっている。そして上蓋５２，５２’も実施形態１よりも奥行きが長くなっている。緩斜面になっているので背面３２は実施形態１よりも奥行きが長くなっている。なお、前面８０とコイル６０，６０’は実施形態１と同じである。ステー６５は、底面７２における引っかける位置が実施形態１よりも前面８０に近い側にあるので、全体に実施形態１よりも短くなっている。本実施形態の折り曲げパネル部材は、実施形態１における折り曲げパネル部材２０に対して底面の奥行きが３／５であり背面の奥行きが１．２７倍であり、底面と背面とのなす角が１４６度であり、それ以外の部分は実施形態１と同じ構成のものである。法面保護構造３００の形成方法は実施形態１と同じである。
【００４６】
実施形態３においても実施形態１と同じ効果を奏する。
【００４７】
（その他の実施形態）
上述の実施形態は本願発明の例示であって、本願発明はこれらの例に限定されず、これらの例に周知技術や慣用技術、公知技術を組み合わせたり、一部置き換えたりしてもよい。また当業者であれば容易に思いつく改変発明も本願発明に含まれる。
【００４８】
石詰籠を積み上げる段数は特に限定されない。
【００４９】
石詰籠を形成する各部材の金網パネルはすべて同じ種類であってもよいし、別の種類を混合してもよい。背面を構成する溶接金網よりも前面を構成する溶接金網の方が、金網の編み目を小さくする或いは使用される鉄線の径を大きくすることが好ましい。このようにすることにより、内部の石から加わる圧力に耐える必要がある前面と、法面の凹凸に適合する必要がある背面とにそれぞれ適した溶接金網を使用できる。この場合縦線と横線の一方のみの径を変えてもよいし、両方変えてもよい。
【００５０】
石詰籠の各部材（折り曲げパネル部材や上蓋）の法面下端に沿う長さは特に限定されない。また、一つの法面保護構造において、この長さは一種類であってもよいし、複数の長さの部材を用いてもよい。
【００５１】
前面の高さａは５０ｃｍに限定されず、８０ｃｍ、１ｍなど任意の高さにすることができる。底面の奥行きｂも限定されない。ただし、ｂ／ａが３／５以上８／５以下であることが好ましい。この数値範囲とすることにより、施工が容易となり、法面保護構造の容積を小さく抑えることができてコストを小さくすることができる。
【００５２】
折り曲げパネル部材を前面と底面の二つの面のみから構成される部材としてもよい。すなわち背面は別部材（金網パネル）としてもよい。このとき、背面を構成する金網パネルに溶接金網パネルを用いてもよいし、鉄線枠に菱形金網や亀甲金網を張った金網パネルを用いてもよい。鉄線枠に菱形金網や亀甲金網を張った金網パネルよりも溶接金網からなる金網パネルの方が、製造コストが低く面にかかる圧力に対して強いという特徴が有る。
【００５３】
石詰籠を構成する金網は、表面が防錆処理されていることが好ましく、具体的には防錆めっき（例えば、亜鉛含有めっき）、防錆被覆又は防錆塗料の塗布がなされていることが好ましい。亜鉛含有めっきには、亜鉛めっき及び亜鉛合金めっきが含まれる。防錆被覆としては、熱可塑性樹脂の被覆が例示できる。防錆塗料としては、例えば鉄骨や鉄線等についてのＪＩＳ規格錆止め塗料（Ｋ５６２１など）や日本塗料工業界規格の錆止め塗料などを挙げることができる。
【００５４】
溶接金網の材料や径は特に限定されない。溶接金網同士や金網パネルを連結する部材はコイルに限定されず、針金等で結んでもよいし、Ｕ字ねじと穴あき金属板とボルトとを用いてもよい。
【００５５】
法面保護構造においては、保護構造が法面を滑り落ちることがないこと（滑動安全率）、転倒しないこと（転倒安全率）、地盤内への沈下が無いこと（最大地盤反力度）が許容値であることが重要である。安定計算により、これらを算定できる。しかしながら、許容値を満たしていてもマージンが大きすぎるとオーバースペックとなってコストが増大してしまう。そこで、本発明の構成の法面保護構造について、法勾配１割：ｂ／ａ＝３／５〜８／５、８〜１６段、法勾配１割１分：ｂ／ａ＝３／５〜５／５、１１〜１６段、法勾配１割２分：ｂ／ａ＝３／５〜５／５、１２〜１６段、法勾配１割３分：ｂ／ａ＝３／５〜５／５、１３〜１６段、法勾配１割４分：ｂ／ａ＝３／５〜５／５、１３〜１６段、法勾配１割５分：ｂ／ａ＝３／５〜５／５、８〜１６段、の各種について計算を行った。
【００５６】
滑動安全率、転倒安全率はどちらも１．５０以上であることが定められているが、これらが最小であるのは法勾配１割：ｂ／ａ＝６／５、１３段のときであって滑動安全率３．９７、転倒安全率１．５１であり、最小のマージンとなっている。また、最大地盤反力度は２００ｋＮ／ｍ２以下であることが定められているが、これが最大であるのは法勾配１割５分：ｂ／ａ＝４／５、１５段のときであって１９９．１ｋＮ／ｍ２であり、最小のマージンとなっている。
【産業上の利用可能性】
【００５７】
以上説明したように、本発明に係る法面保護構造は低コストであって、法勾配１割から１割５分の法面を保護するもの等として有用である。
【符号の説明】
【００５８】
１０，１１，１２            石詰籠
２０                        折り曲げパネル部材
３０，３２                    背面
４０，４１，４２             側面
６０，６０’                 コイル
７０，７１，７２             底面
８０                          前面
１００，２００，３００      法面保護構造
４００，４１０，４２０      法面
【図１】
2015045133.tif 000003
【図２】
2015045133.tif 000004
【図３】
2015045133.tif 000005
【図４】
2015045133.tif 000006
【図５】
2015045133.tif 000007
【図６】
2015045133.tif 000008
【図７】
2015045133.tif 000009
【図８】
2015045133.tif 000010
【図９】
2015045133.tif 000011
【図１０】
2015045133.tif 000012
【図１１】
2015045133.tif 000013
【図１２】
2015045133.tif 000014
【図１３】
2015045133.tif 000015
【図１４】
2015045133.tif 000016
【図１５】
2015045133.tif 000017
【図１６】
2015045133.tif 000018
【図１７】
2015045133.tif 000019
【図１８】
2015045133.tif 000020
【図１９】
2015045133.tif 000021
【図２０】
2015045133.tif 000022
【図２１】
2015045133.tif 000023
【図２２】
2015045133.tif 000024
【図２３】
2015045133.tif 000025
【図２４】
2015045133.tif 000026
【図２５】
2015045133.tif 000027
【図２６】
2015045133.tif 000028